(57)【要約】【課題】充電側の切断電線の端末にキャップを取り付けて絶縁処理すると共に、そのキャップを取り付けた電線を架線等に取り付ける一連の作業を連続的に行うことで作業労力の低減を図る間接活線用クリップを提供する。【解決手段】被挟持物を挟持する一対の挟持部２１ａ，２２ａと、間接活線把持工具で把持可能な一対の被把持部２１ｂ、２２ｂとを備え、一対の被把持部２１ｂ、２２ｂを把持することで一対の挟持部２１ａ，２２ａを離間させるようにしているクリップ本体２に、電線端末キャップ３を回動可能に設ける。電線端末キャップ３は、クリップ本体２の挟持部２１ａ，２２ａの先端部に取り外し不能に設けられるもので、開口部近傍から径方向に延設された連結ロッド３４を介して挟持部２１aの先端部（屈曲部２１ｈ）に回動可能に連結される。【選択図】  図１
2018088795.tif 000002
【特許請求の範囲】
【請求項１】
被挟持物を挟持する一対の挟持部と、間接活線把持工具で把持可能な一対の被把持部とを備え、前記一対の被把持部を把持することで前記一対の挟持部を離間させるようにしているクリップ本体と、
前記クリップ本体の前記挟持部の先端部に回動可能に、且つ、取り外し不能に設けられ、電線の端末に装着可能とする電線端末キャップと、
を具備することを特徴とする間接活線用クリップ。
【請求項２】
前記電線端末キャップは、開口部近傍から径方向に延設された連結ロッドを介して前記挟持部の先端部に回動可能に連結され、前記連結ロッドを中心として、前記クリップ本体の軸方向に対して略垂直となる平面上を回動可能に取り付けられていることを特徴とする請求項１記載の間接活線用クリップ。
【請求項３】
前記電線端末キャップは、開口部近傍から径方向に延設された連結ロッドを介して前記挟持部の先端部に回動可能に連結され、前記一対の挟持部及び前記一対の被把持部を含み、前記被把持部の被把持面に対して略垂直となる平面上を回動可能に取り付けられていることを特徴とする請求項１記載の間接活線用クリップ。
【請求項４】
前記一対の被把持部には、前記クリップ本体の軸方向に延びる突条が被把持面の両脇に立設されていることを特徴とする請求項１乃至３のいずれかに記載の間接活線用クリップ。
【請求項５】
前記電線端末キャップには、挿入された電線の抜け防止機構が設けられていることを特徴とする請求項１乃至４のいずれかに記載の間接活線用クリップ。
【発明の詳細な説明】
【技術分野】
【０００１】
本発明は、充電された切断電線の端末にキャップを被せて絶縁処理し、その状態で切断電線を最寄りの架線に仮支持する一連の動作を間接活線作業で容易に行うために用いられる間接活線用クリップに関する。
【背景技術】
【０００２】
例えば、電柱上部に取り付けられている変圧器の吊替え作業を行なう場合には、高圧引下線用コネクタを撤去したり取付けたりする作業が必要となるが、高圧引下線用コネクタを固定しているネジが固着して緩めることができない場合には、縁線を切断して変圧器を吊替えた後に縁線を再び接続するようにしている。
【０００３】
このように縁線を切断する場合には、切断した充電側の電線は、地絡事故や感電事故等を防ぐために電線端末キャップを取り付けて絶縁処理を行い、充電側の電線が長い場合には、端末付近を間接工法用で使用するクリップを用いて延線が接続されている架線に仮支持するようにしている（特許文献１、２の背景技術参照）。
【先行技術文献】
【特許文献】
【０００４】
【特許文献１】特開２０１４‐１７６１１６号公報
【特許文献１】特開２０１１−０６２００４号公報
【発明の概要】
【発明が解決しようとする課題】
【０００５】
しかしながら、切断電線の充電側の端末に電線端末キャップを取り付けた後に、架線に仮支持するために、間接活線用のクリップを、別途、間接活線把持工具で把持して電線の端末付近にアプローチし、この切断電線の端末付近を架線に仮支持する必要があり、切断した充電側の電線を電線端末キャップで絶縁処理する作業とクリップで架線に仮支持する作業とを一連の動作で行うことができないので、作業効率が悪いものであった。
【０００６】
また、電線端末キャップとクリップとは別個独立のものであり、電線端末キャップを取り付けた後に、クリップによる架線への仮支持作業を行う際に、折角取り付けた電線端末キャップが脱落する恐れがあり、安全な作業を行う上でより安全に配慮した工具の開発が望まれていた。
【０００７】
本発明は係る事情に鑑みてなされたものであり、充電側の切断電線の端末にキャップを取り付けて絶縁処理すると共に、そのキャップを取り付けた電線を架線等に取り付ける一連の作業を連続的に行うことで作業労力の低減を図り、また、キャップが電線から外れた場合でも落下する恐れのない間接活線用クリップを提供することを主たる課題としている。
【課題を解決するための手段】
【０００８】
上記課題を達成するために、本発明に係る間接活線用クリップは、被挟持物を挟持する一対の挟持部と、間接活線把持工具で把持可能な一対の被把持部とを備え、前記一対の被把持部を把持することで前記一対の挟持部を離間させるようにしているクリップ本体と、前記クリップ本体の前記挟持部の先端部に回動可能に、且つ、取り外し不能に設けられ、電線の端末に装着可能とする電線端末キャップと、を具備することを特徴としている。
【０００９】
したがって、切断した電線の充電側の端末を処理するに当たり、間接活線把持工具でクリップ本体を把持して、このクリップ本体の挟持部の先端部に設けられた電線端末キャップを切断電線の充電側の端末に近づけ、そのまま電線端末キャップを電線の端末に被せる。その後、電線端末キャップを被せた状態を維持しつつ、クリップ本体を開いて最寄りの架線等に仮支持すれば、充電側の切断電線は、その端末が電線端末キャップで絶縁処理された状態で架線に仮支持されることになる。すなわち、充電側の切断電線の端末を電線端末キャップで絶縁処理する作業と切断電線をクリップで架線に仮支持する作業とを一連の動作で行うことが可能となる。
【００１０】
また、電線端末キャップは、クリップ本体に取り外し不能に設けられているので、電線端末キャップが何らかの拍子で切断電線の端末から外れた場合でも、脱落することがなく、安全に作業を進めることが可能となる。
【００１１】
ここで、電線端末キャップは、電線の端末の向きや作業位置との関係で電線の端末にアプローチする方向を任意に調整できることが望ましいので、開口部近傍から径方向に延設された連結ロッドを介して挟持部の先端部に回動可能に連結され、前記連結ロッドを中心として、クリップ本体の軸方向に対して略垂直となる平面上を回動可能に取り付けられることが望ましい。
【００１２】
また、切断電線の端末にクリップ本体を被せる際に作用する力（モーメント）によって間接活線把持工具でクリップ本体を把持した状態が外れる恐れを防ぐために、電線端末キャップは、開口部近傍から径方向に延設された連結ロッドを介して前記挟持部の先端部に回動可能に連結され、一対の挟持部及び一対の被把持部を含み、被把持部の被把持面に対して略垂直となる平面上を回動可能に取り付けられるようにしてもよい。
【００１３】
このような構成においては、被把持部の被把持面に対して略垂直となる平面上を電線端末キャップが回動するので、クリップ本体を電線の端末に被せる作業時に生じる力（モーメント）が被把持部に作用しても被把持面と垂直方向に作用するので、間接活線把持工具でクリップ本体を把持した状態が外れる不都合がなくなる。
また、同様の目的を達成するために、一対の被把持部に、クリップ本体の軸方向に延びる突条を被把持面の両脇に設けるようにしてもよい。
【００１４】
なお、電線端末キャップの電線の端末からの予期しない抜けを防止するために、電線端末キャップに、挿入された電線の抜け防止機構を設けるようにするとよい。
【発明の効果】
【００１５】
以上述べたように、本発明によれば、電線端末キャップをクリップ本体の挟持部の先端部に回動可能に、且つ、取り外し不能に設けるようにしたので、充電側の切断電線の端末にキャップを取り付けて絶縁処理する作業と、キャップを取り付けた切断電線を架線等に仮支持する作業とを連続的に行うことが可能となり、作業労力を低減することが可能となる。
【００１６】
また、電線端末キャップは、クリップ本体に取り外し不能に取り付けられているので、何らかの拍子で電線端末キャップが電線から外れた場合でも、キャップが落下する恐れがないので、安全に作業を進めることが可能となる。
【図面の簡単な説明】
【００１７】
【図１】図１は、本発明に係る間接活線用クリップの実施例を示す全体構成図であり、（ａ）は、その平面図、（ｂ）は、（ａ）を図中下方から見た側面図である。
【図２】図２は、本発明に係る間接活線用クリップを用いて切断した充電側の電線を処理する工程を示す図であり、（ａ）は切断電線の端末に本発明に係る間接活線用クリップの電線端末キャップをアプローチする図であり、（ｂ）は切断電線の端末に本発明に係る間接活線用クリップの電線端末キャップを装着した状態を示す図である。
【図３】図３は、本発明に係る間接活線用クリップを用いて切断した充電側の電線を処理する工程を示す図であり、（ａ）は切断電線の端末に本発明に係る間接活線用クリップの電線端末キャップを装着した状態を維持してクリップ本体を開いて架線にアプローチする図であり、（ｂ）は切断電線の端末に本発明に係る間接活線用クリップの電線端末キャップを装着した状態でクリップ本体を架線に留めて切断電線を架線に仮支持した状態を示す図である。
【図４】図４は、本発明に係る間接活線用クリップの変形例を示す全体構成図であり、（ａ）は、その平面図、（ｂ）は、（ａ）を図中下方から見た側面図である。
【図５】図５は、本発明に係る間接活線用クリップの他の実施例を示す全体構成図であり、（ａ）は、その平面図、（ｂ）は、（ａ）を図中下方から見た側面図である。
【発明を実施するための形態】
【００１８】
以下、この発明の実施形態について図面により説明する。
図１において、本発明に係る間接活線用クリップ１が示され、この間接活線用クリップ１は、クリップ本体２と、このクリップ本体２に取り付けられた電線端末キャップ３とを有して構成されている。
【００１９】
クリップ本体２は、例えば硬質の樹脂材料などで形成された対をなすクリップ片２１，２２と、これらクリップ片２１，２２をその略中間部で回転可能に支持する支軸２３と、支軸２３の位置でクリップ片２１，２２に外装された環状カバー２４とを備えている。それぞれのクリップ片２１，２２は、支軸２３よりも先端側が被挟持物を挟持可能な挟持部２１ａ，２２ａを構成し、支軸２３よりも基端側が間接活線把持工具で把持可能な被把持部２１ｂ，２２ｂを構成している。
【００２０】
支軸２３には、図示しないコイルばねが弾装され、その両端部がそれぞれ被把持部２１ｂ、２２ｂの内側に延在しており、これにより被把持部２１ｂ、２２ｂは、常時離反する方向に付勢され、また、前記挟持部２１ａ，２２ａは、互いに接近する方向に常時付勢されている。
【００２１】
各挟持部２１ａ、２２ａは、この例においては、それぞれ略直方体形状に形成されており、両者の互いに対向する内面には、これらの長さ方向に延設された凹部２１ｃ、２１ｄ；２２ｃ、２２ｄが形成されている。凹部２１ｃ、２２ｃは緩やかに湾曲した側面視で円弧状のくぼみに形成され、凹部２１ｄ、２２ｄは側面視で長方形状に形成されている。
【００２２】
被把持部２１ｂ、２２ｂの互いに反対を向く外面には、ヤットコ等の間接活線把持具で把持される平坦な被把持面２１ｆ，２２ｆが形成されている。これらの被把持面２１ｆ，２２ｆは、挟持部２１ａ，２２ａが閉じた状態において略平行となるように形成されている。
【００２３】
また、この例において、クリップ本体２は、一方の挟持部２１ａの先端部が他方の挟持部２２ａの先端部よりも長く形成され、この一方の挟持部２１ａの先端部には、他方の挟持部２２ａの側に屈曲し、互いの挟持部２１ａ，２２ａが閉じた状態において他方の挟持部２２ａの先端部を覆う屈曲部２１ｈが形成されている。
【００２４】
そして、クリップ本体２の一方の挟持部２１ａの先端部（屈曲部２１ｈ）には、電線端末キャップ３が設けられている。この電線端末キャップ３は、硬質の樹脂材料で構成された有底筒状のキャップ本体３１と、このキャップ本体３１の開口端部に圧入等により装着された軟質の樹脂材で構成された筒状の電線受け部材３２とを有して構成されている。
【００２５】
電線受け部材３２は、開口端から内側に入った部位に、径方向内側へ突出する複数のヒダ３３が形成され、このヒダ３３により、開口端から挿入された電線の抜けを防止する抜け防止機構が形成されている。
【００２６】
そして、キャップ本体３１の開口端部近傍には、径方向外側に延設された連結ロッド３４が一体に形成され、この連結ロッド３４を介して電線端末キャップ３が挟持部２１ａの先端部（屈曲部２１ｈ）に回動可能に連結されている。
【００２７】
この例において、連結ロッド３４は、電線端末キャップ３の開口端近傍から径方向に突出した断面円状のロッド３４ａの先端に球体状のジョイント部３４ｂを一体に形成し、一方の挟持部２１ａの屈曲部２１ｈの中程に前記ジョイント部３４ｂを収容する凹部２１ｉを設け、この凹部２１ｉに連結ロッド３４のジョイント部３４ｂを回動可能に収容し、凹部２１ｉの開口部は、ジョイント部３４ｂの径よりも小さく、且つ、前記ロッド３４ａの径よりも大きく形成され、連結ロッド３４が屈曲部２１ｈに取り外し不能に設けられている。したがって、電線端末キャップ３は、その軸心がクリップ本体２の軸方向に対して略垂直であって、連結ロッド３４を中心として、クリップ本体２の軸方向に対して略垂直となる平面上を３６０度回動できるように取り付けられている。
【００２８】
以上の構成において、上述した間接活線用クリップ１を用いて、充電側の切断電線１００の端末処理を行うには、先ず、切断電線１００の端末１００ａを電線端末キャップ３が装着しやすい角度にあらかじめ間接活線把持工具等でくせを付けておき、間接活線用クリップ１の電線端末キャップ３の角度（開口部の開口方向）を調節した上で、クリップ本体２の被把持部２１ｂ、２２ｂを間接活線把持工具（絶縁ヤットコ）１０１で把持して持ち上げ、電線端末キャップ３を切断電線１００にアプローチし、切断電線１００の端末１００ａに電線端末キャップ３の開口部を対峙させる（図２（ａ）参照）。
【００２９】
その後、間接活線把持工具（絶縁ヤットコ）１０１を動かして切断電線１００の端末１００ａに間接活線用クリップ１の電線端末キャップ３を被せて切断電線１００の端末１００ａを電線端末キャップ３内に押し込む（図２（ｂ）参照）。すると、切断電線１００の端末１００ａは、ヒダ３３を内側に押し込むように弾性変形させながら挿入されるので、このヒダ３３の復元力によりヒダ３３の先端部が切断電線１００の側面に押し付けられ、切断電線１００の抜けが防止される。
【００３０】
そして、そのまま電線端末キャップ３が取り付けられた状態を維持しつつ、間接活線把持工具（絶縁ヤットコ）１０１でクリップ本体２の被把持部２１ｂ、２２ｂを強く把持してクリップ本体２（挟持部２１ａ，２２ａ）を開き（図３（ａ）参照）、そのまま最寄りの架線等にクリップ本体２を近づけて掛かり留めれば、充電側の切断電線１００は、その端末１００ａが電線端末キャップ３で絶縁処理された状態で架線１０２に仮支持されることになる（図３（ｂ）参照）。
【００３１】
したがって、充電側の切断電線１００を電線端末キャップ３で絶縁処理する作業とクリップ本体２で架線１０２に仮支持する作業とを一連の動作で行うことが可能となるので、作業労力を低減することが可能になると共に、短時間で電線の端末処理（絶縁処理と仮支持）を行うことが可能となる。また、電線端末キャップ３は、クリップ本体２に取り外し不能に設けられているので、電線端末キャップ３が何らかの拍子で切断電線１００の端末１００ａから外れた場合でも、脱落することがなく、安全に作業を進めることが可能となる。
【００３２】
また、以上の構成においては、電線端末キャップ３がクリップ本体２の挟持部２１ａの先端部（屈曲部２１ｈ）に回転可能に設けられているので、切断電線１００の端末１００ａの角度や作業位置に応じて電線端末キャップ３の角度を適宜調整可能である。
その際、図１乃至図３で示すように、被把持部２１ｂ，２２ｂの被把持面２１ｆ，２２ｆに対して電線端末キャップ３の軸線が略垂直となる場合には、電線端末キャップ３を切断電線１００の端末１００ａに装着する際に生じるモーメントが被把持部２１ｂ，２２ｂに作用しても、間接活性把持工具（絶縁ヤットコ）による被把持部２１ｂ，２２ｂの把持状態がずれたり外れたりすることはないが、被把持部２１ｂ，２２ｂの把持面に対して電線端末キャップ３の軸線が略平行となる場合には、上記モーメントが被把持部２１ｂ，２２ｂに作用すると、間接活性把持工具（絶縁ヤットコ）による被把持部２１ｂ，２２ｂの把持状態がずれて、クリップ本体２が間接活性把持工具（絶縁ヤットコ）の当初の把持方向から傾いたり脱落したりする可能性がある。
【００３３】
そこで、図４に示されるように、クリップ本体２の被把持部２１ｂ、２２ｂに、前記クリップ本体２の軸方向に延びる突条２２ｇを被把持面２１ｆ、２２ｆの両脇に、該被把持面に対して略垂直に立設するようにしてもよい。このような構成によれば、対をなす突条２２ｇ間を間接活線把持工具（絶縁ヤットコ）１０１の把持部１０１ａで把持すれば、電線端末キャップ３を切断電線１００の端末１００ａに装着する際に生じるモーメントが被把持部２１ｂ，２２ｂの把持面２１ｆ，２２ｆと略平行に作用しても、間接活線把持工具（絶縁ヤットコ）１０１の把持部１０１ａは、突条２２ｇに当接されて位置ずれが規制されるので、クリップ本体２の被把持部２１ｂ，２２ｂからずれたり外れたりすることがなくなる。
【００３４】
また、同様の不都合を解消するために、図５に示されるように、電線端末キャップ３を、一対の挟持部２１ａ，２２ａ及び一対の被把持部２１ｂ，２２ｂを含み、被把持部２１ｂ，２２ｂの把持面２１ｆ，２２ｆに対して略垂直となる平面上を回動可能に取り付けるようにしてもよい。
具体的には、電線端末キャップ３の開口端部から径方向に突設されたロッド３４ａの先端部に、電線端末キャップ３の軸線、及び、ロッド３４ａに対して垂直（電線端末キャップ３を、一対の挟持部２１ａ，２２ａ及び一対の被把持部２１ｂ，２２ｂを含み、被把持部２１ｂ，２２ｂの把持面２１ｆ，２２ｆに対して略垂直となる平面に対して垂直）となる軸線を有する円柱部３４ｃを設け、この円柱部３４ｃを、電線端末キャップ３を一対の挟持部２１ａ，２２ａ及び一対の被把持部２１ｂ，２２ｂを含み、被把持部２１ｂ，２２ｂの把持面２１ｆ，２２ｆに対して略垂直となる平面に対して垂直となる軸線を有する円筒凹部２１ｊに回転可能および取り外し不能に収容し、一方の挟持部２１ａの先端から側面（他方の挟持部２２ａと対峙する側と反対側の面）にかけて円筒凹部２１ｊに連通するスリットを形成し、このスリットを介して前記ロッド３４ａを略９０度の範囲で移動可能に挿通させるようにしている。
【００３５】
このような構成においては、電線端末キャップ３が被把持部２１ｂ，２２ｂの把持面２１ｆ，２２ｆに対して略垂直となる平面上のみを回動するので、電線端末キャップ３を切断電線１００の端末１００ａに装着する際に生じるモーメントが被把持部２１ｂ，２２ｂの把持面２１ｆ，２２ｆ、及び、支軸２３に対して略平行に作用することがなくなり、クリップ本体２が間接活線用把持工具（絶縁ヤットコ）１０１から外れる恐れがなくなる。
【符号の説明】
【００３６】
１  間接活線用クリップ
２  クリップ本体
３  電線端末キャップ
２１ａ．２２ａ  挟持部
２１ｂ、２２ｂ  被把持部
２１ｆ、２２ｆ  被把持面
２１ｈ  屈曲部
２２ｇ  突条
３３  ひだ
３４  連結ロッド
【図１】
2018088795.tif 000003
【図２】
2018088795.tif 000004
【図３】
2018088795.tif 000005
【図４】
2018088795.tif 000006
【図５】
2018088795.tif 000007